(57)【要約】【課題】現金自動取引装置の底面と床面との隙間に高さのばらつきがあっても、装置にガードを取り付ける際に、ガードの高さの調整を不要にして装置の底面と床面との隙間をなくすことを課題とする。【解決手段】床面上に設置され、底部にガードを取り付けた現金自動取引装置において、ガード１０は、前面上ガード２１及び両側面上ガード２２，２３から成る上ガード２０と、前面下ガード３１と両側面下ガード３２，３３とをコ字状に形成し、前面下ガード３１に底板３４を設けた下ガード３０とで構成され、前面下ガード３１、両側面下ガード３２，３３にそれぞれ対応する前面上ガード２１、両側面上ガード２２，２３を取り付け、前面上ガード２１及び両側面上ガード２２，２３に可撓性を持たせ、前面上ガード２１及び両側面上ガード２２，２３の上先端部が装置の底面に接触して底面と床面との隙間を塞ぐようにした。【選択図】図１
2008299466.tif 000002
【特許請求の範囲】
【請求項１】
床面上に設置され、底部にガードを取り付けた現金自動取引装置において、
前記ガードは、前面上ガード及び両側面上ガードから成る上ガードと、前面下ガードと両側面下ガードとをコ字状に形成し、前記前面下ガードに底板を設けた下ガードとで構成され、前記前面下ガード、両側面下ガードにそれぞれ対応する前記前面上ガード、両側面上ガードを取り付け、前記前面上ガード及び両側面上ガードに可撓性を持たせ、前記前面上ガード及び両側面上ガードの上端部が前記装置の底面に接触して前記底面と床面との隙間を塞ぐことを特徴とする現金自動取引装置。
【請求項２】
前記前面下ガード、両側面下ガードに前記前面上ガード、両側側面上ガードをそれぞれ回転可能に取り付けることにより前記前面上ガード及び両側面上ガードに可撓性を持たせたことを特徴とする請求項１記載の現金自動取引装置。
【請求項３】
前記前面上ガイド及び両側側面上ガイドを弾力性のあるゴム板又はプラスチック板で形成することにより可撓性を持たせたことを特徴とする請求項１記載の現金自動取引装置。
【請求項４】
前記下ガードの底板を前記装置の両側のアジャスタプラパートに突き当て、前記両側のアジャスタプラパートを前記両側面下ガードに固着した板バネで挟むようにして前記ガードを固定することを特徴とする請求項１〜３のいずれかに記載の現金自動取引装置。
【請求項５】
取引毎に前記装置の動作に連動して前記ガードを変位させる押圧装置を備えたことを特徴とする請求項１〜４のいずれかに記載の現金自動取引装置。
【請求項６】
前記押圧装置は取引毎に動作するシャッタに連動するリンクで構成されたことを特徴とする請求項５記載の現金自動取引装置。
【請求項７】
保守時又は点検時の操作に連動して前記ガードを変位させる押圧装置を備えたことを特徴とする請求項１〜６のいずれかに記載の現金自動取引装置。
【請求項８】
前記押圧装置は保守時又は点検時に操作されるユニットに連動するリンクで構成されたことを特徴とする請求項７記載の現金自動取引装置。
【発明の詳細な説明】
【技術分野】
【０００１】
本発明は、現金自動支払機、現金自動入出金機、自動販売機等の現金自動取引装置に関するものである。
【背景技術】
【０００２】
従来、自立型の現金自動取引装置（以下装置と称する場合がある）は、運搬や設置を考慮し、図１０の斜視図に示すように、装置１の底面にアジャスタプラパート２やキャスタ３を取り付けて床面に設置されているのが一般的である。
図１１はその底面部におけるフットガードを示す外観図である。装置１の底面６と床面７との間には隙間があり、外観上の品位と硬貨等の落下物が入り込まないようにするため、ガード４を設けている。
【０００３】
ガード４は、設置箇所における床面７に高さのばらつきがあるため、隙間Ｓを設け、特殊ネジ５により高さを調節して装置１との固定を行っている。
しかし、このような構造では、図１１に示すように、装置１の底面６とガード４に隙間Ｓが生じ、硬貨等の落下物が入り込む恐れがあった。
【０００４】
また、自動販売機やショーケース等の物品販売機の底面と設置床面との隙間に落下物が転がり込まないための隙間閉鎖カバーが提案されている（特許文献１参照）。
しかし、この隙間閉鎖カバーは、組立、分解が簡単にでき、且つ物品販売機の底面の寸法に合わせて調整自在ではあるが、隙間の高さについては、床面若しくは地面から数センチの高さに囲って閉鎖すれば落下物の侵入を十分に防止できるので、隙間を完全に閉鎖する必要はないとしている。
そのため、物品販売機の底面と隙間閉鎖カバーとの間に隙間が生じ、硬貨等の落下物が入り込む可能性があった。
【０００５】
一方、これらの問題を解決するものとして、底板の前端部に固定され、下端が床面に接触する前垂板を設けた自動販売機が提案されている（特許文献２参照）。
しかし、自動販売機の底面と床面との隙間の高さがばらつく場合、特許文献２では前垂板を固定しているねじを取り外して前垂板の高さ位置を変更し、改めてねじで固定するか、摺動溝と摺動体を設けて前垂板の高さを調整する必要があった。
【特許文献１】実用新案登録第３０３５８５２号公報
【特許文献２】特開平７−２２０１５２号公報
【発明の開示】
【発明が解決しようとする課題】
【０００６】
現金自動取引装置の底面と床面との隙間に高さのばらつきがあっても、装置にガードを取り付ける際に、ガードの高さの調整を不要にして装置の底面と床面との隙間をなくすことを課題とする。
【課題を解決するための手段】
【０００７】
上記した課題を解決するため、本発明は、床面上に設置され、底部にガードを取り付けた現金自動取引装置において、ガードは、前面上ガード及び両側面上ガードから成る上ガードと、前面下ガードと両側面下ガードとをコ字状に形成し、前面下ガードに底板を設けた下ガードとで構成され、前面下ガード、両側面下ガードにそれぞれ対応する前面上ガード、両側面上ガードを取り付け、前面上ガード及び両側面上ガードに可撓性を持たせ、前面上ガード及び両側面上ガードの上端部が装置の底面に接触して底面と床面との隙間を塞ぐようにした。
【発明の効果】
【０００８】
本発明は、上ガードに可撓性を持たせ、上ガードの上端部が装置の底面に接触して底面と床面との隙間を塞ぐので、装置にガードを取り付ける際に、装置の底面と床面との隙間における高さのばらつきの影響を受けず、ガードの高さの調整が不要となり、装置の底面と床面との隙間をなくすことができる。
【発明を実施するための最良の形態】
【０００９】
床面上に設置され、底部にガードを取り付けた現金自動取引装置において、ガードは、前面上ガード及び両側面上ガードから成る上ガードと、前面下ガードと両側面下ガードとをコ字状に形成し、前面下ガードに底板を設けた下ガードとで構成され、前面下ガード、両側面下ガードにそれぞれ対応する前記前面上ガード、両側面上ガードをそれぞれ回転可能に取り付けて前面上ガード及び両側面上ガードに可撓性を持たせ、前面上ガード及び両側面上ガードの上端部が装置の底面に接触して底面と床面との隙間を塞ぐことにより、ガードの高さの調整が不要となり、装置の底面と床面との隙間をなくすことを実現した。
【実施例１】
【００１０】
図１は本発明の実施例１の構成図で、現金自動取引装置に取り付けるガードを分解して構成要素を示している。
ガード１０は上ガード２０と下ガード３０とから成り、上ガード２０は前面上ガード２１と両側の側面上ガード２２，２３とで構成され、下ガード３０は前面下ガード３１と両側の側面下ガード３２，３３と底板３４とで構成されている。
【００１１】
上ガード２０を構成する前面上ガード２１と両側面上ガード２２，２３には一方の長辺の両側に取付部２４が形成され、取付部２４に挟まれる中央部分には凹部が形成されている。
下ガード３０は前面下ガード３１の短辺の両端に両側面下ガード３２，３３がコ字状になるように形成されており、長辺の上部の中央部分にそれぞれ２つの取付部３５が形成されている。２つの取付部３５の間にはスプリング４１が配置される凹部が形成されている。
【００１２】
前面上ガード２１は対応する前面下ガード３１の上側に配置され、前面上ガード２１の凹部が前面下ガード３１の取付部３５及びスプリング４１と係合し、取付部２４，３５及びスプリング４１にあけられている穴にシャフト４２を挿通することにより、前面上ガード２１はスプリング４１に抗して回転可能に前面下ガード３１の上部に取り付けられている。
側面上ガード２２，２３も前面上ガード２１と同様に対応する側面下ガード３２，３３の上部にそれぞれ回転可能に取り付けられる。
【００１３】
両側面下ガード３２，３３の内面の下部にはそれぞれ板バネ３６が溶接等により固着され、板バネ３６は後述するように装置への固定に利用される。
また、前面下ガード３１には凹部３７を有する底板３４が形成されており、板バネ３６と共動して装置への固定に利用される。
上ガード２０は金属板又はプラスチックで形成され、下ガード３０は金属板を折り曲げ加工して又はプラスチックで成型して形成される。
なお、下ガード３０については前面下ガード３１と両側面下ガード３２，３３を別個に形成し、蝶番で接続しても良い。この場合は側面下ガード３２，３３が外側に９０°以上開かないようにする必要があるが、内側に折りたためるので、運搬等が容易になる。
【００１４】
図２は実施例１の取付状態を示す要部側面図、図３は実施例１の取付状態を示す要部平面図、図４は実施例１の高さを説明する図である。
ガード１０を装置１に取り付けるには、図２のように装置１の底面６と床面７の隙間にガード１０をスライドさせて挿入する。図３のようにガード１０の底板３４の凹部３７がアジャスタプラパート２に突き当たるまで挿入すると、両側面下ガード３２，３３に固着された板バネ３６が装置１の両側のアジャスタプラパート２を挟み込んで、その弾性によりガード１０を装置１に固定する。
【００１５】
前面上ガード２１は回転可能に固定されて可撓性を持っているので、図２のようにその上端部が装置１の底面６に接触して前面上ガード２１はスプリング４１に抗して外側に撓むようになる。この時、スプリング４１は垂直を保とうとするため、前面上ガード２１には装置１の底面６から離れないように力が加わるので装置１の底面６と床面７の隙間を塞ぐことができる。
また、両側面上ガード２２，２３は外側に押し広げた状態でガード１０を挿入することにより底面６と床面７との隙間を塞ぐことができる。
図４に示すように、ガード１０のＨ１は、装置１の底面６と床面７の隙間の高さＨ２より常に大きくなるように、高さＨ２の想定されるばらつきを考慮して予め定められる。
【００１６】
以上のように実施例１によれば、上ガードを下ガードに回転可能に取り付けて上ガードに可撓性を持たせ、上ガードの上端部が装置の底面に接触して底面と床面との隙間を塞ぐので、装置にガードを取り付ける際に、装置の底面と床面との隙間における高さのばらつきの影響を受けず、ガードの高さの調整が不要となり、装置の底面と床面との隙間をなくすことができ、硬貨等の落下物が入り込まなくなる。
また、ガードを装置の底面と床面の隙間に挿入するだけで取り付けられるので、特別な工具を必要とせず、装置設置時の作業性を向上させることができる。
【実施例２】
【００１７】
図５は本発明の実施例２を示す斜視図である。
実施例１の場合は図１に示すように下ガード３０に上ガード２０を回転可能に取り付けて、上ガード２０に可撓性を持たせたものであるが、実施例２は上ガード５０を構成する前面上ガード５１及び両側面上ガード５２，５３を弾性のあるゴム板又はプラスチック板で形成し、下ガード６０の前面下ガード６１及び両側面下ガード６２，６３にネジ６４等の手段で固着して上ガード５０にゴム板等の弾性による可撓性を持たせたもので、その他は基本的に実施例１と同じで、その作用も同等である。
以上のように、実施例２は実施例１と同等の効果を奏する。
【実施例３】
【００１８】
図６は本発明の実施例３の構成を示す説明図、図７は実施例３の動作説明図である。
実施例１で説明したように、装置１の底面６と床面７の隙間にガード１０を挿入して取り付けてある。
装置１には取引を行う際に自動開閉を行うシャッタ７１が備えられており、シャッタ７１には突出しピン７２が取り付けられている。
突出しピン７２の先方にはガード１０を押して変位させる押圧装置となるリンク７３とリンク７４がそれぞれ回転運動できるようにリンク軸７５に固定されている。
リンク７４はガード１０を押圧し易いようにＬ型に形成され、その先端部がガード１０に接触する位置に設置される。
【００１９】
図６においては、装置１で取引が終了し、シャッタ７１が動作して矢印Ａ方向に閉まる際、突出しピン７２が矢印Ａ方向に突き出され、その先端でリンク７３が押され、押されたリンク７３はリンク軸７５を中心に反時計方向に回転してリンク７４を押す。押されたリンク７４はリンク軸７５を中心に時計方向に回転し、図７（ａ）の矢印Ｂの方向にリンク７４を押し、図７（ｂ）のようにリンク７４の先端部がガード１０に接触してガード１０を押し、その位置を変える。
【００２０】
ガード１０が変位して動くことにより、ガード１０にもたれかかっていた硬貨８は床面７に倒れる。
この際、シャッタ７１の動作スピードが早いと、リンク７４の先端部がガード１０に衝突するように接触するので、その衝撃によって硬貨８が倒れることもある。
硬貨８が倒れることにより、ガード１０の手前の死角部分に入り込んでガード１０にもたれていた硬貨８を容易に発見することができる。
【００２１】
ガード１０はリンク７４に押されて位置が移動してしまうが、次の取引が開始されてシャッタ７１が開き、突出しピン７２が元の位置に戻ると、アジャスタプラパート２と接触している図３に示した板バネ３６の弾性の復元力によりガード１０は元の位置に戻る。
【００２２】
以上のように実施例３によれば、実施例１の効果に加えて、取引毎に装置のシャッタに連動する押圧装置がガードを押すことによりガードにもたれている硬貨を倒すので、ガード手前の死角部分に入り込んでいた硬貨を容易に見つけることができる。
【実施例４】
【００２３】
図８は本発明の実施例４の構成を示す説明図、図９は実施例４の動作説明図である。
実施例３は図６に示したように取引毎に開閉するシャッタ７１に連動して押圧装置を駆動しているが、実施例４は保守時又は点検時に操作されるユニット８１に連動して押圧装置を駆動している点が異なるだけで他は同じである。
【００２４】
簡単に説明すると、装置１には保守、点検時に操作されるユニット８１が搭載されており、ユニット８１には突出しピン８２が取り付けられている。
突出しピン８２の先方には押圧装置となるリンク８３，８４がそれぞれ回転可能にリンク軸８５により固定されている。
保守、点検時にユニット８１が矢印Ｃの方向に押し込まれると、突出しピン８２に押されてリンク８３，８４が回転し、リンク８４の先端部がガード１０を押圧してその位置を移動させると図９（ａ）のようにガード１０にもたれかかっていた硬貨８は図９（ｂ）のように床面７に倒れる。倒れた硬貨８は死角部分から外れるので、発見し易くなる。
【００２５】
以上のように実施例４によれば、実施例１の効果に加えて、保守、点検毎に操作されるユニットに連動する押圧装置がガードを押すことによりガードにもたれている硬貨を倒すので、保守、点検時に係員によって容易に発見される。
なお、実施例３，４において、実施例１のガードを例にして説明したが、実施例２のガードも適用できることは言うまでもない。
【図面の簡単な説明】
【００２６】
【図１】本発明の実施例１の構成図である。
【図２】実施例１の取付状態を示す要部側面図である。
【図３】実施例１の取付状態を示す要部平面図である。
【図４】実施例１の高さを説明する図である。
【図５】本発明の実施例２を示す斜視図である。
【図６】本発明の実施例３を示す説明図である。
【図７】実施例３の動作説明図である。
【図８】本発明の実施例４を示す説明図である。
【図９】実施例４の動作説明図である。
【図１０】現金自動取引装置の斜視図である。
【図１１】従来のフットガードの外観図である。
【符号の説明】
【００２７】
１                                  装置
２                                  アジャスタプラパート
６                                  底面
７                                  床面
８                                  硬貨
１０                                ガード
２０，５０                          上ガード
２１，５１                          前面上ガード
２２，２３，５２，５３              側面上ガード
２４，３５                          取付部
３０，６０                          下ガード
３１，６１                          前面下ガード
３２，３３，６２，６３              側面下ガード
３４                                底板
３６                                板バネ
３７                                凹部
４１                                スプリング
４２                                シャフト
６４                                ネジ
７１                                シャッタ
７２，８２                          突出しピン
７３，７４，８３，８４              リンク
７５，８５                          リンク軸
８１                                ユニット
【図１】
2008299466.tif 000003
【図２】
2008299466.tif 000004
【図３】
2008299466.tif 000005
【図４】
2008299466.tif 000006
【図５】
2008299466.tif 000007
【図６】
2008299466.tif 000008
【図７】
2008299466.tif 000009
【図８】
2008299466.tif 000010
【図９】
2008299466.tif 000011
【図１０】
2008299466.tif 000012
【図１１】
2008299466.tif 000013